(57)【要約】      （修正有）【課題】使い捨て用であり、入浴時等にいちいち石けんとタオルを用意しなくとも、汚れや油分を洗い流すことが出来る、石けん水が含まれたタオル又は手袋型タオルを提供する。【解決手段】石けん水３を含浸させた使い捨てタオル類２を折り曲げ自在な袋状の密閉容器１に収納したもので、タオル類２は不織布から成る手袋型タオルである。また、袋状の密閉容器１は、袋の一端を切りとり自在な構成であり、使用者は密閉容器１の端部を切り落として、中から手袋型のタオルを取り出し、手にはめ、そのまま身体にこすりつけると、泡が出て、石けんによる洗浄が出来る。【選択図】図１
0003179225.tif 000002
【実用新案登録請求の範囲】
【請求項１】
石けん水を含有させた使い捨てタオル類を密閉容器に収納したことを特徴とする、石けん水つきタオルセット。
【請求項２】
前記タオル類は手袋型タオルであることを特徴とする、請求項１に記載の石けん水つきタオルセット。
【請求項３】
前記密閉容器は折り曲げ自在な袋であり、袋の一端を切りとり自在な構成としたことを特徴とする、請求項１又は２に記載の石けん水つきタオルセット。
【請求項４】
前記タオル類は不織布から成るものであることを特徴とする、請求項１〜３のいずれかに記載の石けん水つきタオルセット。
【請求項５】
前記密閉容器にシャンプーを入れた密閉容器が接続されていることを特徴とする、請求項１〜４のいずれかに記載の石けん水つきタオルセット。
【考案の詳細な説明】
【技術分野】
【０００１】
この考案は、使い捨て用の、石けん水が含有されたタオルセットに関するものである。
【背景技術】
【０００２】
従来、シャワーや入浴等で身体を洗う場合、湯又は水をつけたタオル等に石けんをこすりつけて、当該タオルで身体をこすっている。この場合、ホテルやエステティックサロン等の施設では、客ごとに新しいタオルを揃え、これとは別に石けんも用意しなければならない。
【０００３】
従って、ホテルやエステティックサロンでは、洗面所や浴室等に常に新しい石けんと新しい又はクリーニングしたタオルを用意しなければならず、費用や手間がかかるものである。
【０００４】
また、一方、従来のタオルでは、身体や顔を洗う毎にいちいち濡れたタオルに石けんをつけなければならず、手間がかかる。
【０００５】
そこで、特許文献１に示すように、手のひらを被う部分に石けんを入れておける石けん用ポケットを設け、当該ポケットに石けんを入れたままで身体を洗うことが出来、特に小さくなった石けんを最後まで無駄なく使用できる入浴用手袋が開発されている。
【０００６】
【特許文献１】実開平６−３６４８８号公報
【考案の開示】
【考案が解決しようとする課題】
【０００７】
しかしながら、この入浴用手袋は、身体を洗う際に石けんを石けん用ポケットに入れなければならず、手間がかかるものである。また、手袋は使用後、洗って再度利用するもので、衛生面を考慮しなければならない。
【０００８】
そこで、この考案は、前記の技術的課題を解決するもので、一度の使い捨て用であり、入浴時等にいちいち石けんとタオルを用意しなくとも、汚れや油分を洗い流すことが出来る、石けん水が含有されたタオルセット又はグローブ型タオルセットを提供することを目的としたものである。
【課題を解決するための手段】
【０００９】
請求項１の考案は、石けん水を含有させた使い捨てタオル類を密閉容器に収納した、石けん水つきタオルセットとした。
【００１０】
また、請求項２の考案は、請求項１の考案において、前記タオル類は手袋型である、石けん水つきタオルセットとした。
【００１１】
また、請求項３の考案は、請求項１又は２の考案において、前記密閉容器は折り曲げ自在な袋であり、袋の一端を切りとり自在な、石けん水つきタオルセットとした。
【００１２】
また、請求項４の考案は、請求項１〜３のいずれかに記載の考案において、前記タオル類は不織布から成るものである、石けん水つきタオルセットとした。
【００１３】
また、請求項５の考案は、請求項１〜４のいずれかに記載の考案において、前記密閉容器にシャンプーを入れた密閉容器が接続されている、石けん水つきタオルセットとした。
【考案の効果】
【００１４】
請求項１の考案によれば、使用者は、密閉容器から石けん水が含有したタオルを取り出し、そのまま当該タオルで身体を洗うことが出来、身体をこすった後、湯又は水で洗い流せば、容易に石けん分が洗い流される。従って、別途石けんを用意する必要がない。また、石けん水であるため、石けんを泡立てるために別に水や湯をかける必要がない。しかも使い捨てタオル類であるので、一度使えば捨てて、新しいタオルセットに取り替えておくことができる。また、このタオルセットは常時は密閉容器に入っているため、周囲を汚すことがなく、長期にわたって保存しておくことができる。
【００１５】
これにより、使用者は当該タオルセットを複数、旅行などに携帯しておけば、いつでも石けんで身体や顔を洗うことが出来、清潔を維持できる。また、タオルに石けん水が付いているため、タオルと石けんを別々に用意せず、セットとなっているため携帯に便利である。
【００１６】
また、施設側では、顧客ごとに、新しい石けん水含有のタオルを使用でき、清潔である。従って、ホテルやエステティックサロン等の施設では、この考案に係る多数のタオルセットを用意しておけば、清潔であり、また、洗濯やクリーニングが不要となり、コストを削減できる。
【００１７】
また、請求項２の考案によれば、請求項１の効果に加え、タオル自体が手袋型であるため、使用者は手に当該手袋をはめて、身体をこすればよく、身体の線に合わせて容易にこすることが出来、さらに、指先の感触により細やかな、また、行き届いた洗浄やマッサージが出来る。
【００１８】
また、請求項３の考案によれば、密閉容器が、折り曲げ自在な袋から成るため、コンパクトであり、また、形状を変形できるため、保管や携帯に便利である。また、袋の端部を容易に切り取り、中からタオル類を取り出すことが出来る。
【００１９】
また、請求項４の考案によれば、タオル類は不織布から成るため、容易に入手しやすく、また、表面の繊維が織り込まれていないため凹凸が多く、石けん水を保持しやすい。従って、石けん水を多量に保持できるため、身体を洗うのにも石けんの量を十分確保できる。また、当該タオル類をこする場合も適度な凹凸があり、洗浄に適している。
【００２０】
また、請求項５の考案によれば、当該石けん付きタオルセットに加え、シャンプーを入れた容器がついているため、これを用意しておけば、旅行等で急に入浴する場合でも、新しいタオル、石けん、シャンプーを用いて洗顔、洗髪を行うことが出来る。また、これらの密閉容器は、夫々、袋状でつながっていれば、コンパクトになり、使用しやすい。
【考案を実施するための形態】
【００２１】
この考案は、石けん水を含浸させた使い捨てタオル類を折り曲げ自在な袋状の密閉容器に収納したもので、前記タオル類は不織布から成る手袋型である、石けん水つきタオルセットとした。
【００２２】
これにより、使用者は、密閉容器から石けん水が含有したタオルを取り出し、そのまま当該タオルで身体を洗うことが出来、身体をこすった後、湯又は水で洗い流せば、容易に石けん分が洗い流される。
【図面の簡単な説明】
【００２３】
【図１】この考案の実施例１の密閉袋に石けん水を含んだタオル類を入れた断面平面図である。
【図２】この考案の実施例１の密閉袋からタオル類を取り出している状態の正面図である。
【図３】この考案の実施例１のタオル類であるシート状のタオルを密閉容器から取り出して広げた正面図である。
【図４】この考案の実施例１のタオル類である手袋型のタオルを密閉容器から取り出して広げた正面図である。
【図５】この考案の実施例１の手袋型のタオルで身体を洗っている、使用状態を示す斜視図である。
【図６】この考案の実施例２のタオルセットを示すもので、（ａ）図は密閉容器及び小密閉容器の断面平面図であり、（ｂ）図は同斜視図である。
【実施例１】
【００２４】
以下、この考案の実施例１を図に基づいて説明する。袋状の密閉容器１内に、折り畳まれたタオル類２が収納され、当該タオル類２には石けん水３が含浸されかつ付着している。また、前記袋状の密閉容器１は、プラスチックから成るやわらかな、折り曲げ自在な材質から成る。無論、他の形状、又は構造の容器でも良く、要は密閉容器であればよい。
【００２５】
そして、袋状の密閉容器１の両側端部には切り込み４が設けられ、使用者が当該切り込み４の両側をつまんで、引き離せば容易に袋状容器１は破ける。
【００２６】
また、前記タオル類２の材質は、不織布や織布その他の繊維類が好ましいが、プラスチック類、網状物等他の材質のものでもよい。そして、図２に示すように、袋状密閉容器１の端辺を切り取り、中から石けんン水３が十分付着したタオル類２を取り出すことが出来る。
【００２７】
この様に取り出したタオル類２を広げると、図３に示すように、四辺形のシート状のタオル２ａであったり、図４に示すように、手袋型タオル２ｂであったりする。このタオル類２の形状はこれらの形状に限らず、種々のものが考えられる。
【００２８】
そして、前記手袋型タオル２ｂの場合、図５に示すように、使用者は当該手袋型タオル２ｂを一方の手５に装着する。そして、そのまま、洗浄しようとする身体の部分、例えば、腕６に手袋型タオル２ｂをこすりつけると、手袋型タオル２ａに付着した石けん水３が泡立ち、汚れを取ることが出来る。その際、石けん水３は水を含んでいるため、タオル類２をこすれば、容易に泡立つ。その後、当該部分を湯又は水で洗い流せば、前記石けんの洗浄力で当該身体の部分はきれいになる。
【００２９】
また、このタオル類２は、上述のように、不織布から成るものが石けん水が十分含浸、付着しやすく好ましい。また、当該タオル類２を身体にこする場合でも、不織布は多少の凹凸があり、洗浄に適している。
【００３０】
また、前記タオル類２を手袋型タオル２ｂとした場合、使用者は手５に当該手袋型タオル２ｂをはめて、身体をこすればよく、身体の線に合わせて容易にこすることが出来、さらに、指先の感触により細やかな、また、行き届いた洗浄やマッサージが出来る。また、タオル２ａの場合は従来のタオルと同様に使用するが、石けん水３が付着しているためお湯や水を用いずに、身体を石けんを用いて洗うことが出来る。
【実施例２】
【００３１】
さらに、第６図（ａ）、（ｂ）に示すように、前記石けん水を付着させたタオル類を密封した密閉容器１に加え、シャンプー７を入れた小型密閉容器８を繋ぎ合わせて設けることもできる。この場合、密閉容器１と小型密閉容器８とは、折り曲げ自在に接続しても良く、また、一体に接続しても良い。これを用意しておけば、旅行等で急に入浴する場合でも、新しいタオル、石けん、シャンプーを用いて洗顔、洗髪を行うことが出来る。また、これらの密閉容器は、夫々、袋状で二つがつながっていれば、コンパクトになり、使用しやすい。なお、この実施例２では、小型密閉容器８としたが、この密閉容器は小型でなくても良い。
【００３２】
また、前記石けん水３の成分の一例としては、以下のものがある。
溶剤として、  水                                ３７．７％、
洗剤として、アンモニウムラウリルサルファイト    ３５％
洗剤として、アンモニウムラウリスサルファイト    ２２％
洗剤として、コカミドプロフィール  ベタイン        ３％
スキンコンディショナーとして、  グリセリン        １％
スキンコンディショナーとして、ブチレングリコール  ０．５％
芳香剤として、      芳香剤                        ０．５％
スキンコンヂショナーとして  ベタイン              ０．１％
その他、上記以外のスキンコンディショナー、スキンプロテクター、中和剤等各少量が含まれる。
【符号の説明】
【００３３】
１      密閉容器                  ２      タオル類
２ａ    シート状タオル            ２ｂ    手袋型タオル  
３      石けん水                  ４      切り込み
５      手                        ６      腕
７      シャンプー                ８      小型密閉容器
【図１】
0003179225.tif 000003
【図２】
0003179225.tif 000004
【図３】
0003179225.tif 000005
【図４】
0003179225.tif 000006
【図５】
0003179225.tif 000007
【図６】
0003179225.tif 000008